(57)【要約】【課題】チューブを収納するために、薄型でコンパクトに形成するトレイを提供すること。【解決手段】トレイ１には、中央部に中央突状部４を配置して、一部に中央嵌合溝５を設ける。中央突状部４から底板部３の各頂点部に向かって、突状部列１０を配置する。突状部列１０には、底板部３の裏面から表面側に向かって突出する複数の円弧状突状部９を有し、２個の突状部９・９間を嵌合溝７として形成する。一端を中央嵌合部５に嵌合したチューブを、各嵌合溝列８の嵌合溝７に嵌合させ渦巻状に順に巻き付ける。【選択図】図１
2005178879.tif 000002
【特許請求の範囲】
【請求項１】
可撓性のチューブを渦巻状に巻き付けて収納するトレイであって、
略矩形板状に形成される底板部と、前記渦巻の巻き方向に沿うとともに前記底板部の４隅の各頂点を結ぶ対角線上に沿う位置に断続的に配置させて前記渦巻の中心側から外周側に向かって並設するように形成される複数の突状部と、を有して形成され、
対角線上に沿って隣接する前記突状部間の溝が、前記チューブを取外し可能に嵌合させて保持する嵌合部として形成されることを特徴とするトレイ。
【請求項２】
前記トレイに収納されるチューブの前記渦巻の中心側の一端は、前記底板部の略中央部に形成された中央突状部の嵌合溝に嵌合されることを特徴とする請求項１記載のトレイ。
【請求項３】
対角線上に沿って配置される前記嵌合部のうち、前記底板部の外周縁部に配置される最後尾の嵌合部は、前記底板部の中心側に配置される嵌合部より、前記渦巻の巻き方向に沿う長さが長く形成されていることを特徴とする請求項１又は２記載のトレイ。
【請求項４】
前記嵌合部にチューブを巻き付けた前記トレイは、前記トレイを収納する収納体に、前記収納体あるいは前記トレイの底板部のいずれかに形成された懸吊孔を介して陳列されるように懸吊されることを特徴とする請求項１，２又は３記載のトレイ。
【発明の詳細な説明】
【技術分野】
【０００１】
本発明は、可撓性のチューブを収納可能なトレイに関し、さらに詳しくは、チューブを巻き付けたトレイを袋に収納するか又は台紙を貼着して陳列用の商品として販売可能なトレイに関する。
【背景技術】
【０００２】
一般に、可撓性のチューブ、例えば、ビニールチューブやゴムチューブ等をトレイに収納する際、可撓性のチューブは長尺状に形成されていることから、螺旋状に巻きつけたり渦巻状に巻き付けたりしてテープ等で止着して収納している。螺旋状に巻き付ける従来のトレイでは、例えば、特許文献１に示すように、シャワーホースを収納する形態が示されている。これによると、図７に示すように、シャワーホース２１の両端部の接続継手２２・２３をお互いに隔てるようにするために、厚み方向に重なるように螺旋状に巻き付けるとともに、両接続継手２２・２３をそれぞれ逆方向に向けるように縦方向に配置してトレイ２４に収納していた。これによってトレイ２４の横幅を広くすることなく、また片手で握った状態で位置決めして容易にトレイ２４に収納し、台紙２５を貼着してブリスタパッケージ２６として形成していた。
【０００３】
また渦巻状に収納する場合、トレイの底板部に渦巻状の溝を全周にわたって形成して渦巻状の溝に沿ってチューブを収納し、テープで止着して収納していた。
【特許文献１】特開２００２−６８２９２公報（２〜３頁、図２参照）
【発明の開示】
【発明が解決しようとする課題】
【０００４】
しかし、従来のトレイのうち、特許文献１に示すトレイでは、厚み方向に螺旋状に積み重ねていくことから、チューブが長ければ長いほど厚み方向の厚みが大きくなって、吊り下げて陳列する際に、重ねる方向にスペースをとることとなって多数のトレイを陳列できなかった。
【０００５】
また、渦巻状にチューブを収納する場合、全周にわたって形成された渦巻状の溝に収納することとなるから、巻き付けられたチューブはトロコイド曲線のような円形に近似した渦巻状となって半径方向に広がることとなっていた。そのため、チューブが長くなればなるほど幅方向に広がり、縦・横方向とも幅の広いトレイを必要とすることとなってスペースをとることとなっていた。
【課題を解決するための手段】
【０００６】
本発明は、上述の課題を解決するものであり、チューブを収納する際に、厚み方向を薄くして多数のトレイを陳列できるようにするとともに、縦方向・横方向ともできるだけ小さく形成してコンパクトなトレイを提供することを目的とする。そのために本発明では上記の目的を達成するために、以下のように構成するものである。すなわち、
請求項１記載の発明では、可撓性のチューブを渦巻状に巻き付けて収納するトレイであって、
略矩形板状に形成される底板部と、前記渦巻の巻き方向に沿うとともに前記底板部の４隅の各頂点を結ぶ対角線上に沿う位置に断続的に配置させて前記渦巻の中心側から外周側に向かって並設するように形成される複数の突状部と、を有して形成され、
対角線上に沿って隣接する前記突状部間の溝が、前記チューブを取外し可能に嵌合させて保持する嵌合部として形成されることを特徴とするものである。
【０００７】
また、請求項２記載の発明では、前記トレイに収納されるチューブの前記渦巻の中心側の一端は、前記底板部の略中央部に形成された中央突状部の嵌合溝に嵌合されることを特徴としている。
【０００８】
また、請求項３記載の発明では、対角線上に沿って配置される前記嵌合部のうち、前記底板部の外周縁部に配置される最後尾の嵌合部は、前記底板部の中心部側に配置される嵌合部より、前記渦巻の巻き方向に沿う長さが長く形成されていることを特徴としている。
【０００９】
また、請求項４記載の発明では、前記嵌合部にチューブを巻き付けた前記トレイは、前記トレイを収納する収納体に、前記収納体あるいは前記トレイの底板部のいずれかに形成された懸吊孔を介して陳列されるように懸吊されることを特徴としている。
【発明の効果】
【００１０】
請求項１記載の発明によれば、可撓性のチューブをトレイに収納する際、対角線上に沿う位置に配置された嵌合部に、チューブを渦巻の中心側から外周側に向かって順次嵌合させて巻き付ける。対角線上に配置された嵌合部は、ちょうど４隅の各頂点部を結ぶ方向に沿う位置に断続的に中心側から外周側に向かって対角線上に順次配置されていることから、可撓性を有したチューブは、嵌合部の配置されていない部位において、隣接する内側のチューブと接触するようにして巻き付けられる。つまり、底板部の各辺に沿って配置される部位のチューブは、嵌合部に嵌合されていないことから、内側に巻き付けられた隣接するチューブに接触可能に撓ませることができ、その分、半径方向を小さくすることができ、底板部における縦方向・横方向の幅寸法を小さくしてトレイ自体をコンパクトにすることができる。又、嵌合部はチューブを取外し可能に保持していることから、例えば、テープ等で止着する必要はなく、これによって、手間なくチューブを収納することができる。
【００１１】
請求項２記載の発明によれば、チューブの渦巻の中心側の一端を、トレイの中央部に設けられた中央嵌合部に嵌合することによって、その後のチューブの巻き付け作業を容易にし、各嵌合部に嵌合したチューブを引っ張るようにして渦巻状に巻き付けることができる。
【００１２】
請求項３記載の発明によれば、チューブの長さにバラツキがあっても、チューブの終端部を引っ張って、対角線上に配置されたいずれかの嵌合部列における、渦巻方向に長く形成されている最後尾の嵌合部に嵌合させる。これによって、チューブの終端部を嵌合部に嵌合できることから安定してトレイに収納させることができる。従って、特に、長いチューブを収納する際に、長さのバラツキを調整することができ有利となる。
【００１３】
請求項４記載の発明によれば、チューブを収納したトレイは、収納体に収納して、例えば、陳列台のフックに懸吊することによって、商品として販売することができる。この際、本発明のトレイを薄型に構成することによって、陳列台のフックには多数のトレイを懸吊することができる。
【発明を実施するための最良の形態】
【００１４】
以下、本発明の一形態を図面に基づいて説明する。実施例のトレイは、観賞魚用のエアチューブを渦巻状に巻き付けて収納するものについて説明するものであるが、これに限定するものではなく他の可撓性のチューブでも適用できるものである。そしてエアチューブを巻き付けたトレイに台紙を貼着するか又は袋詰めにして陳列台に陳列可能に形成する。
【実施例１】
【００１５】
図１は、トレイ１の正面図を示すものであり、トレイ１は、樹脂製で透明の材料で形成されるとともに、正方形に形成された底板部３と、チューブを嵌合する中央嵌合溝５と、対角線上に配置される複数の嵌合溝７とを備えている。嵌合溝７は、図１及び図２に示すように、底板部３の４隅頂点部を結ぶ対角線上に沿う位置に断続的に、底板部３の中心側から底板部３の外周側に向かって複数並設するように配置されている。この嵌合溝７は、底板部３の裏面側（図２中、下面側）から表面側（図２中、表面側）に向かって突状部９を複数形成することによって、各突状部９・９間の溝として形成される。嵌合溝７は、底部側が狭く形成された略Ｖ字状に形成され、チューブが嵌合する際に、底部側でチューブを押圧しながら把持できることによって、嵌合されたチューブを嵌合部７に取外し可能に保持することができる。
【００１６】
また、対角線上に形成される突状部９は、底板部３の中心部から四方に延設する突状部列１０（１０Ａ、１０Ｂ、１０Ｃ、１０Ｄ）の各突状部列１０内に、中央部を除いて複数配置されることとなり、さらに各突状部９は、その高さが、収納されるチューブの高さ方向における外面と略同一となる高さに形成されるとともに、渦巻方向に沿う長さが、チューブを渦巻状に沿って収納できる程度の長さで形成されている。従って、嵌合溝７は、各突状部列１０内で嵌合溝列８（８Ａ、８Ｂ、８Ｃ、８Ｄ）を構成する。
【００１７】
また、トレイ１の中央部は、円錐台状の中央突状部４が形成され、中央突状部４の一部にチューブの渦巻の中心側の一端を嵌合するための中央嵌合溝５が形成されている。中央突状部４と各突状部列１０の最前列の突状部９との間は、嵌合溝７ａとして形成され中央突状部４の外周面の周りをチューブが巻き付くこととなる。
【００１８】
対角線上に配置される各突状部列１０における最前列の突状部９（底板部３の中心側に一番近い突状部９）の位置が、底板部３の中心位置から、収納するチューブを渦巻状に保持するために、少しずつ順に離れるように配置されている。例えば、図１における突状部列１０Ａにおける最前列の突状部９が底板部３の中心位置に一番近く、順に突状部列１０Ｂ、１０Ｃ、１０Ｄにおける最前列の突状部９が遠くなるように配置されている。従って、中央突状部４と突状部９との間の嵌合溝７ａ及び各突状部９・９間に形成される各嵌合溝列８は、底板部３の中心位置からの距離が徐々に外周側に向かって遠くなるように配置されることとなる。なお、各突状部列１０における各突状部９・９間の溝幅寸法（各嵌合溝７の溝幅寸法）は、収納されるチューブを嵌めて底部側で保持できる程度の大きさで形成され、かつ全ての嵌合溝７が略同一の大きさに形成される。
【００１９】
但し、トレイ１の加工上、例えば、３列の突状部列（１０Ａ、１０Ｂ、１０Ｃ）の底板部３の中心位置からの距離を略同一に配置して、残りの１列の突状部列１０Ｄの位置を遠くするように配置してもよい。
【００２０】
また、各突状部列１０の最後尾及びその直前の突状部９ａ・９ｂ（底板部３の中心から一番遠い位置及びその直前の突状部９）は、その前の突状部９に比べて、渦巻方向に沿う長さを大きくして形成される。つまり、突状部９ａ・９ｂ間に形成される嵌合溝７ｂ（嵌合溝列８の最後尾の嵌合溝）は、他の嵌合溝７よりその渦巻方向に沿う長さが長く形成されることとなる。これによって、収納されるチューブが長く形成されている場合、チューブの他端がいずれかの嵌合溝列８の最後尾の嵌合溝７ｂに嵌合できるようにしている。
【００２１】
なお、底板部３の４隅は、トレイ１を把持する際に怪我をさせないように適度なアール面を形成することが望ましい。
【００２２】
上記のように形成されたトレイ１に、チューブＴを収納する場合、図３に示すように、まず、中央突状部４の中央嵌合溝５にチューブＴの一端を嵌合させる。そして、中央突状部４の周りの嵌合溝７ａにほぼ全周にわたってチューブＴを嵌合させた後、嵌合溝列８Ａの最前列の嵌合溝７に嵌合させ、その後、嵌合溝列８Ｂ、８Ｃ、８Ｄの順に、内側から外側の嵌合溝７に沿って渦巻状にチューブＴを嵌合する。
【００２３】
この際、１つの嵌合溝７にチューブＴを嵌合した後、チューブＴを巻き方向に沿って絞るように引っ張ると、チューブＴは可撓性を有していることから、チューブＴは絞られて、嵌合部７の形成されていない部位、つまり、底板部３の各辺に沿って配置される部位において、隣接する内側のチューブＴと接触するようにして巻き付けられる。つまり、底板部３の各辺に沿って配置される部位のチューブＴは、嵌合部７に嵌合されていないことから、内側に巻き付けられた隣接するチューブＴに接触可能に撓ませることができる。そのため、半径方向を小さくすることができ、巻き付けられるチューブＴの縦方向・横方向との膨らみを防止して底板部３における縦方向・横方向の幅寸法を小さくしてトレイ１自体をコンパクトにすることができる。又、嵌合部７はチューブＴを取外し可能に保持していることから、例えば、チューブＴを止着するためのテープを不要とすることができる。
【００２４】
そして同様に順に底板部３の中心側から外周側に向かって渦巻状にチューブＴを巻き付けることとなる。その際、例えば、チューブＴの長さが短いものと長いものとの２種類を収納する場合、短いチューブＴの終端部は、図４に示すように、最後尾の嵌合溝７ｂの直前の嵌合溝７、つまり巻き方向に沿う長さの短い嵌合溝７の範囲内で巻き付けが終了となるように、嵌合溝７の個数を設定しておく。
【００２５】
チューブＴの長さが長いものは、図５に示すように、巻き方向に沿う長さの短い嵌合溝７を越えて、巻き方向に沿う長さの長い最後尾の嵌合溝７ｂにチューブＴの終端部を嵌合できるように予め設定することとなる。この際、チューブＴの長さにバラツキがあっても、チューブＴを絞るように引っ張ってチューブＴの終端部を嵌合溝７ｂ内に嵌合させる。
【００２６】
上記のようにチューブＴを収納したトレイ１は、陳列台のフックに懸吊できるように収納体に収納する。例えば、収納体が、図４又は図５及び図６に示すように、トレイ１に台紙１５を貼着してブリスタパッケージ１６として構成するものであれば、台紙１５を、チューブＴを巻き付けたトレイ１の開口部側から貼着して一体的に形成する。台紙１５は、厚紙または樹脂製の材料で形成し、台紙１５には、陳列台のフック１７に懸吊可能な懸吊孔１５ａを１箇所形成する。そして、懸吊孔１５ａにフック１７を挿通させて、トレイ１を収納した収納体を商品として懸吊して販売可能とする。なお、懸吊孔は、トレイ１側に形成してもよい。
【００２７】
又、収納体を、トレイ１を収納可能なビニール袋とすれば、チューブＴを巻き付けたトレイ１をビニール袋に収納して、ビニール袋ごとフック１７に懸吊するようにしてもよい。この場合においても、陳列台のフック１７に懸吊可能な懸吊孔をビニール袋又はトレイ１の底板部３に１箇所形成することとなる。
【００２８】
いずれの場合も、図６に示すように、トレイ１自体は薄型に形成されていることから、トレイ１の重なる方向に多数陳列することができる。
【００２９】
上記のように、実施例のトレイ１は、中央部に、中央突状部４に形成する中央嵌合溝５を配置し、チューブＴを嵌合して保持する嵌合溝７が対角線上に沿って嵌合溝列８を形成していることから、チューブＴを中央嵌合部５及び各嵌合溝列８の各嵌合溝７に嵌合した後、チューブＴを引っ張るようにして巻き付ければ、チューブＴは可撓性を有しているために各嵌合部７を通過したチューブＴは、嵌合部７の配置されていない部位において、隣接する内側のチューブＴと接触するようにして巻き付けられる。つまり、底板部３の各辺に沿って配置される部位のチューブＴは、嵌合部７に保持されていないことから、内側に巻き付けられた隣接するチューブＴに接触可能に撓ませることができ、その分、半径方向を小さくすることができ、底板部３における縦方向・横方向の幅寸法を小さくしてトレイ１自体をコンパクトにすることができる。しかも、嵌合溝７は、底部でチューブＴを保持していることから、チューブＴを止着するためのテープを不要とすることができ、それによってチューブＴをトレイ１に手間をかけずに収納することができる。
【００３０】
また、トレイ１は樹脂製で形成され底板部３の裏面側から表面側に向かって突出した突状部９を有している。つまり、トレイ１は成形型で一体的に加工できることから、廉価な費用で形成できることとなる。
【００３１】
さらに、チューブＴの一端を、トレイ１の中央部に設けられた中央嵌合溝５に嵌合することによって、その後のチューブＴの巻き付け作業を容易にし、各嵌合溝７に嵌合したチューブＴを強く引っ張るようにして巻き付けることができる。
【００３２】
また、チューブＴの長さが長い場合、チューブＴの長さにバラツキがあっても、各嵌合溝列８のそれぞれの嵌合溝７に嵌合して渦巻状に巻き付けたチューブＴの終端部を、引っ張るように調整して、いずれかの嵌合部列８の最後尾の嵌合溝７ｂに嵌合させることによって、チューブＴの終端部を嵌合溝列８・８の間に留めることなく確実に止着できることから、安定してトレイ１に収納させることができる。
【００３３】
また、チューブＴを収納したトレイ１を、台紙１をトレイ１の開口部側に貼着してブリスタパッケージを構成するか、またはビニール袋に収納して、陳列台のフック１７に懸吊させることもできる。これによって、陳列する商品として販売可能とする。この際、薄型に形成されたトレイ１を収納体に収納して陳列台の１列の懸吊部１７に多数懸吊することができる。
【００３４】
なお、本発明のトレイは上記の形態に限定するものではなく、例えば、底板部から突出する突状部を別の部材で底板部に貼り付けるか、又は固着させてもよく、また、嵌合溝列を備える突状部列を別に形成して、底板部における各頂点を結ぶ対角線上に貼り付けるか、又は固着させてもよい。
【図面の簡単な説明】
【００３５】
【図１】本発明の一形態のトレイを示す正面図である。
【図２】図１のトレイの嵌合溝を示す、図１におけるII−II断面図である。
【図３】図１のトレイにチューブを巻き付けた状態を示す斜視図である。
【図４】図１のトレイに短いチューブを巻き付けた状態を示す正面図である
【図５】図１のトレイに長いチューブを巻き付けた状態を示す正面図である。
【図６】図４における側面図である。
【図７】従来のブリスタパッケージを示す分解斜視図である。
【符号の説明】
【００３６】
１  トレイ
３  底板部
４  中央突状部
５  中央嵌合溝
７  嵌合溝
８  嵌合溝列
９  突状部
１０  突状部列
１５  台紙
１６  ブリスタパッケージ
１７  フック
【図１】
2005178879.tif 000003
【図２】
2005178879.tif 000004
【図３】
2005178879.tif 000005
【図４】
2005178879.tif 000006
【図５】
2005178879.tif 000007
【図６】
2005178879.tif 000008
【図７】
2005178879.tif 000009